(57)【要約】【課題】  カラオケ利用者のために効果的な楽曲推奨手段を提供する。【解決手段】  歌唱者ごとの歌唱履歴から、同一歌唱者に歌われる楽曲の組み合わせ度数を集計し、各楽曲毎に組み合わされる度数の高い楽曲を推奨曲として楽曲データベースに保持、当該楽曲を歌唱あるいは情報照会する利用者に「この歌を歌う人は、こんな曲を歌っています」として提示することで、有為な推奨曲を自動的・動的に選出・適切な対象者に提示できる。【選択図】図５
2015011081.tif 000002
【特許請求の範囲】
【請求項１】
楽曲データベースを有し、ユーザー毎の歌唱履歴を楽曲に紐づけて蓄積するカラオケシステムにおいて、
ユーザー毎の歌唱履歴に基づいて各楽曲毎に特定されるお勧め曲を前記楽曲データベース内に保持することを特徴とするカラオケシステム。
【請求項２】
楽曲データベースを有し、ユーザー毎の歌唱履歴を楽曲に紐づけて蓄積するカラオケシステムにおいて、
前記歌唱履歴に基づき、同一歌唱者により歌唱された２曲の組み合わせデータを生成し、楽曲組合せ集計データベースに蓄積する楽曲組合せデータ生成手段と、
前記楽曲組合せ集計データベースに基づき、各楽曲毎に組み合わされる度数を集計し、当該度数の多い楽曲を推奨曲として特定する推奨楽曲特定手段とからなり、各楽曲毎に特定された前記推奨曲を前記楽曲データベース内に保持することを特徴とするカラオケシステム。
【請求項３】
あらかじめ所定の楽曲を推奨曲の特定において除外することを特徴とする前記請求項２記載のカラオケシステム。
【発明の詳細な説明】
【技術分野】
【０００１】
この発明は、通信カラオケシステムにおいて、カラオケ利用者にリクエスト楽曲を推奨する技術に関する。
【背景技術】
【０００２】
従来、カラオケ装置では、楽曲名、歌手名と楽曲識別子（楽曲番号）を対応付けて表示した冊子（早見本）を用いた楽曲検索が一般的であった。この冊子を用いた楽曲検索では、ユーザは歌唱したい楽曲を冊子中から探し、当該楽曲の楽曲識別子をリモコン装置に入力し、カラオケ装置に送信することで楽曲予約が行われていた。
【０００３】
近年、通信カラオケの普及により、カラオケ装置で扱う楽曲数は数万曲にも上っている。このような膨大の楽曲の中から、所望の楽曲を探し当てることは困難となっており、そのため、従来のテンキーを用いたリモコン装置から、データベースを使用し、ユーザインターフェイスを介して楽曲検索を可能とするリモコン装置へと遷移しつつある。
【０００４】
さらに、楽曲数が増える中、ユーザはどの楽曲を歌唱するか迷うことが考えられる。特許文献１には、カラオケ演奏端末から集信した演奏順序履歴、すなわち、前回選曲した楽曲の次にどんな楽曲が演奏されたかという履歴に基づいて楽曲を推薦することのできる通信カラオケシステムが開示されている。
【先行技術文献】
【特許文献】
【０００５】
【特許文献１】特許第４０３３９４４号公報
【特許文献２】特許第３９２０２０４号公報
【発明の概要】
【発明が解決しようとする課題】
【０００６】
特許文献１は、ホスト装置に設けられた演奏順序集計情報ファイルで、各楽曲について当該楽曲の次に演奏された楽曲群リストが対応づけられ、各リスト上の各楽曲の演奏頻度が統一的に集計される。ホスト装置は、各カラオケ演奏端末の演奏順序履歴データを適時に集信し、これらデータに基づきファイルにおける各楽曲群リストの各演奏頻度を更新した後、このファイルを適時に各カラオケ演奏端末へ配信する。各カラオケ演奏端末は、各楽曲の伴奏音楽を演奏するたびにファイルを参照し、当該楽曲に対応する楽曲群リストに基づき演奏頻度の高い順に所定数の楽曲を抽出し、これら楽曲を次の演奏候補として推薦すべく曲名や選曲番号とともにディスプレイ装置で表示する。
【０００７】
特許文献２は、カラオケホスト装置と多数のカラオケ演奏装置とが通信網を介して結合された通信カラオケシステムにおいて、カラオケホスト装置は、各カラオケ演奏装置における演奏履歴の情報を集信して、全カラオケ演奏装置における演奏楽曲を演奏頻度に基づいて集計した順位リストを作成して各カラオケ演奏装置に配信し、カラオケ演奏装置は、利用者がある楽曲Ａを演奏予約した際に、当該カラオケ演奏装置における前記演奏履歴の情報に基づいて、楽曲Ａに後続して演奏された所定数の楽曲の識別情報を抽出し、当該抽出情報から前記順位リストの所定数の上位楽曲の識別情報を除外し、その他の楽曲識別情報について演奏回数に基づいて集計し推奨楽曲リストを作成し、適宜に利用者に提示する。
【０００８】
特許文献１、特許文献２とも、歌唱された楽曲の履歴からおすすめ曲を抽出しているが、双方とも、曲順を重視し、ある楽曲が歌唱されたあと、次の曲として歌われた回数がもっとも多い曲を推奨するというロジックを採用している。
【０００９】
上記のロジックによると、「次の曲」に注目するため、続けて歌唱した曲が対象となっており、推奨できる曲があっても、続けて歌唱されていない場合は推奨曲が限定されてしまう。
【課題を解決するための手段】
【００１０】
上記の問題を解決するため本発明の請求項１は、楽曲データベースを有し、ユーザー毎の歌唱履歴を楽曲に紐づけて蓄積するカラオケシステムにおいて、
ユーザー毎の歌唱履歴に基づいて各楽曲毎に特定されるお勧め曲を前記楽曲データベース内に保持するというものである。
請求項２では、会員の情報を管理する歌唱者ごとの歌唱者楽曲履歴データベースと、これらを集計した楽曲組合せ集計データベースとをもち、１回歌唱するごとに歌唱者楽曲履歴データベースにその楽曲を登録する。(図１)
一定数の歌唱終了後、ユーザごとに歌唱した楽曲すべてから２曲のペアを作成し、楽曲組合せ集計データベース（図２）に「ある曲を歌った人が歌った曲の組合せ」データを蓄積する。前記、楽曲組合せ集計データベースより、２曲のペアの組合せの発生頻度を求め、曲ごとにお勧め度集計テーブル（図４）を作成する。
このデータを各楽曲の「おすすめ曲」として、各楽曲データに付加し、その楽曲の歌唱者に提示する。
請求項３では、請求項２で「お勧め曲」としての組合せの中から、誰でも歌唱するような一般的で著名な楽曲或いは同一歌手の楽曲を除いた「お勧め曲」を提示するというものである。
【発明の効果】
【００１１】
これにより、特定の楽曲の歌唱した歌唱者が選曲する頻度の高い楽曲を、再生順に関係なく「この曲を歌っている人はこんな曲も歌っています。」として有意な推奨曲を歌唱者に提示することにより、次の楽曲の歌唱予約につなげることができる。
【図面の簡単な説明】
【００１２】
【図１】歌唱者楽曲履歴データベース。
【図２】楽曲名データ組合せ集計データベース。
【図３】組合せ回数集計テーブル。
【図４】お勧め度集計テーブル。
【図５】楽曲データベース。
【発明を実施するための形態】
【００１３】
センターサーバにおいて会員の情報を管理する歌唱者楽曲履歴データベースと、楽曲名データ組合せ集計データベースをもち、１回歌唱するごとに歌唱者楽曲履歴データベースにその楽曲を登録する。ある一定数の歌唱が終了した際、前記歌唱者楽曲履歴データベースから、同一歌唱者の歌唱履歴の中から2曲のペアを作成する。
ある一定期間経過後、各人の歌唱履歴は下記の通りだった。なお、下記１〜７は楽曲を示す番号とする。
Ａさん：曲１、曲２、曲３、曲４、曲５
Ｂさん：曲２、曲３、曲４、曲５、曲６
Ｃさん：曲３、曲４、曲５、曲６、曲７
上記が全データとすると、歌唱者楽曲履歴データベースは図１のようになり、このデータベースを基にした楽曲組合せ集計データベースは図２のようになる。
このデータより楽曲ごとに組合せ回数を集計すると、図３のようになり、回数の多い順に整理すると図４となる。
ここから、度数が最も高い楽曲（最低でも２回以上組み合わせた履歴のある楽曲）を「お勧め曲」として選ぶとすると、
曲２の歌唱に対しては、曲３、曲４、曲５が、
曲３の歌唱に対しては、曲４、曲５が、
曲４の歌唱に対しては、曲３、曲５が、
曲５の歌唱に対しては、曲３、曲４が、
曲６の歌唱に対しては、曲３、曲４、曲５が、
「お勧め曲」となる。これらを各楽曲のデータベースに登録する。（図５）
【図１】
2015011081.tif 000003
【図２】
2015011081.tif 000004
【図３】
2015011081.tif 000005
【図４】
2015011081.tif 000006
【図５】
2015011081.tif 000007